(57)【特許請求の範囲】
【請求項１】
インライン配列された３つのカソードを有する電子銃を備えるカラー受像管装置であって、
上側ＹＨミスコンバーゼンス補正コイルと、
前記電子銃から放出される電子ビームについて、前記上側ＹＨミスコンバーゼンス補正コイルと対向する位置に配されている下側ＹＨミスコンバーゼンス補正コイルと、
前記電子ビームについて、前記上側ＹＨミスコンバーゼンス補正コイルと同側に配されている上側コマ収差補正コイルと、
前記電子ビームについて、前記上側コマ収差補正コイルと対向する位置に配されている下側コマ収差補正コイルと、
画面上側走査時に導通するように回路接続されている第１のスイッチング素子と、
画面下側走査時に導通するように回路接続されている第２のスイッチング素子と、
前記下側ＹＨミスコンバーゼンス補正コイルと前記第１のスイッチング素子とを直列に接続した回路と前記上側コマ収差補正コイルを並列に接続した第１の回路と、前記上側ＹＨミスコンバーゼンス補正コイルと前記第２のスイッチング素子とを直列に接続した回路と前記下側コマ収差補正コイルを並列に接続した第２の回路とが、直列に接続されてなり、垂直偏向電流の分流が流されるＹＨミスコンバーゼンス補正回路と
を備えることを特徴とするカラー受像管装置。
【請求項２】
前記第１のスイッチング素子と第２のスイッチング素子とはダイオードである
ことを特徴とする請求項１に記載のカラー受像管装置。
【請求項３】
インライン配列された３つのカソードを有する電子銃を備えるカラー受像管装置であって、
第１のコイルと第１のダイオードとが直列接続された回路と、前記電子銃が放出する電子ビームについて、前記第１のコイルと対向配置された第２のコイルと第２のダイオードとが直列接続された回路とが並列接続されてなり、前記第１のダイオードと前記第２のダイオードとは導通方向が互いに逆となっている第１の回路と、
前記第１の回路に直列接続された回路であって、第３のコイルと第３のダイオードとが直列接続された回路と、前記電子銃が放出する電子ビームについて、前記第３のコイルと対向配置された第４のコイルと第４のダイオードとが直列接続された回路とが並列接続されてなり、前記第３のダイオードと前記第４のダイオードとは導通方向が互いに逆となっている第２の回路とを備え、
前記第１の回路と前記第２の回路とには、垂直偏向電流の分流が流される
ことを特徴とするカラー受像管装置。
【請求項４】
前記第１のダイオードと導通方向を同じくする複数のダイオードが直列接続された回路が、前記第１のダイオードに並列接続されており、
前記第２のダイオードと同一方向を同じくする複数のダイオードであって、前記第１のダイオードに並列接続された複数のダイオードと同数のダイオードが直列接続された回路が、前記第２のダイオードに並列接続されている
ことを特徴とする請求項３に記載のカラー受像管装置。
【発明の詳細な説明】
【０００１】
【発明の属する技術分野】
本発明は、テレビ受像機やコンピュータ・ディスプレイ等に用いられるカラー受像管装置に関し、特にカラー受像管装置におけるＹＨミスコンバーゼンスの補正をする技術に関する。
【０００２】
【従来の技術】
一般に、カラー受像管装置においてはピンクッション型の上下ラスタ歪（以下、単に「ラスタ歪」という。）の補正を目的として、偏向ヨークの前面上下端にマグネット（以下、「上下マグネット」という。）が装着されている。上下マグネットはラスタ歪を補正する一方で、副作用としてＹＨミスコンバーゼンスを発生させる。図１７はＹＨミスコンバーゼンスを模式的に示した図である。
【０００３】
図１７においては、本来スクリーンの水平方向中央部に照射すべきＲ（赤）の電子ビームとＢ（青）の電子ビームが、垂直方向上下端部に近づくにつれて、水平方向に乖離している。この水平方向への乖離は、上下マグネットが発生させる磁界の垂直方向成分の作用に起因するものである。
このようなＹＨミスコンバーゼンスを補正する技術としては、例えば、特許文献１に開示されたカラー受像管装置がある。当該カラー受像管装置は、４極コイルを偏向ヨークの電子銃側に取り付けて、当該４極コイルを含むＹＨミスコンバーゼンス補正回路（以下、「ＹＨ補正回路」という。）に垂直偏向電流を流してＹＨミスコンバーゼンスを補正する。
【０００４】
図１８は当該ＹＨ補正回路の回路構成を示した図である。図１８においてＹＨ補正回路１４０はダイオード１４３と抵抗素子１４２が並列接続された回路に４極コイル１４１が直列された回路と、当該回路と同一の構成でダイオード１４５がダイオード１４３とは逆向きに接続されている回路を並列接続した回路構成となっており、端子１４７にて垂直偏向コイルに接続されている。
【０００５】
しかしながら、ＹＨ補正回路１４０においては垂直偏向電流の大きさ（絶対値）に比例してＹＨミスコンバーゼンスの補正量（以下、「ＹＨ補正量」という。）がリニアに増大するのに対して、ＹＨミスコンバーゼンスは、図１７に示したように、垂直方向両端部に近づくに従ってミスコンバーゼンス量がパラボラ状に増加してゆく。
【０００６】
このため、ＹＨ補正回路１４０によって垂直方向両端部におけるミスコンバーゼンスを解消させると、垂直方向両端部と画面中央部との中間部分においてはＹＨ補正量が過剰となり、ミスコンバーゼンスが残留する。図１９は、上述のＹＨ補正回路１４０にてＹＨミスコンバーゼンスを補正した後に残留するミスコンバーゼンス（以下、「ＹＨうねり」という。）を模式的に示した図である。図１９に示すように、垂直方向両端部と画面中央部との中間部分において補正過剰のためＲとＢが乖離するミスコンバーゼンスが残留する。
【０００７】
これに対して、特許文献２に開示のコンバーゼンス補正装置は、ダイオードを多段的に組み合わせ、垂直偏向電流の大きさに合わせてＹＨ補正量を変化させることによりＹＨうねりを軽減する。図２０は、当該公報に係るコンバーゼンス補正装置の回路構成を示した図である。図２０においては、ダイオード１５２と抵抗素子１５５を並列に接続した回路に対して抵抗素子１５３が直列に接続されている。
【０００８】
このダイオード１５２と抵抗素子１５３、１５５とからなる回路に対して、複数個のダイオードを直列に接続した回路１５１が並列に接続されている。更に、当該回路に対してコイル１５４が直列に接続されている。当該回路と同様の構成を有し、ダイオードを逆方向に接続した回路がコイル１５４を含む回路と並列に接続されてＹＨ補正回路１５０とされている。
【０００９】
ＹＨ補正回路１５０においては、タンデム接続されたダイオードが垂直偏向電流量の変化に応じてスイッチングしてコイルを通過する電流量を変化する。このような仕組みにより、電流量が増加するのに応じてＹＨ補正量の増加率が段階的に変化してゆき、ＹＨミスコンバーゼンスの補正後に残留するＹＨうねりが軽減される。
【００１０】
【特許文献１】
特許番号第２６６７２１５号公報
【００１１】
【特許文献２】
特開平４―２９８９４２号公報
【００１２】
【発明が解決しようとする課題】
しかしながら、近年、カラー受像管装置においてはパネル平面化に加え、全長の短縮を目的とした広偏向角化が急速に進行しており、これに起因して従来よりも更に悪化したラスタ歪を補正するために、より強力な上下マグネットが用いられるようになってきている。この為、ＹＨミスコンバーゼンスの悪化が著しくなっている。
【００１３】
また、同様の理由により、ＹＨミスコンバーゼンスの高次成分が増加して、ＹＨミスコンバーゼンスの湾曲の度合いが著しくなってきている。この結果、上記のような従来技術をもってしてもＹＨうねりを十分に改善することができなくなってきている。
本発明は、以上のような問題に鑑みてなされたもので、ＹＨミスコンバーゼンスを、その悪化が著しい場合にあっても精度良く補正することができるカラー受像管装置を提供することを目的とする。
【００１８】
【課題を解決するための手段】
上記目的を達成するために、本発明に係るカラー受像管は、図５に示すように、インライン配列された３つのカソードを有する電子銃を備えるカラー受像管装置であって、上側ＹＨミスコンバーゼンス補正コイルと、前記電子銃から放出される電子ビームについて、前記上側ＹＨミスコンバーゼンス補正コイルと対向する位置に配されている下側ＹＨミスコンバーゼンス補正コイルと、前記電子ビームについて、前記上側ＹＨミスコンバーゼンス補正コイルと同側に配されている上側コマ収差補正コイルと、前記電子ビームについて、前記上側コマ収差補正コイルと対向する位置に配されている下側コマ収差補正コイルと、画面上側走査時に導通するように回路接続されている第１のスイッチング素子と、画面下側走査時に導通するように回路接続されている第２のスイッチング素子と、前記下側ＹＨミスコンバーゼンス補正コイルと前記第１のスイッチング素子とを直列に接続した回路と前記上側コマ収差補正コイルを並列に接続した第１の回路と、前記上側ＹＨミスコンバーゼンス補正コイルと前記第２のスイッチング素子とを直列に接続した回路と前記下側コマ収差補正コイルを並列に接続した第２の回路とが、直列に接続されてなり、垂直偏向電流の分流が流されるＹＨミスコンバーゼンス補正回路とを備えることを特徴とする。
このようにすれば、ＹＨミスコンバーゼンスの程度が甚だしいか否かを問わず、ＹＨミスコンバーゼンスの補正後に残留するＹＨうねりの発生を抑えて、ＹＨミスコンバーゼンスを精度良く補正することができる。しかも、ＹＨミスコンバーゼンスの補正にあたって、カラー受像管装置の必須構成要素であるコマ補正コイルを援用するので、特殊な部品を追加する必要がなく、従来技術よりも少ない部品点数、より単純な回路構成でＹＨミスコンバーゼンスを補正することができる。
【００１９】
また、複雑な制御回路を設けることなく単純な回路構成にて、ＹＨうねりを抑えつつＹＨミスコンバーゼンスを補正することができる。なお、前記第１のスイッチング素子と第２のスイッチング素子とはダイオードであるとしても良い。
【００２０】
また、インライン配列された３つのカソードを有する電子銃を備えるカラー受像管装置であって、第１のコイルと第１のダイオードとが直列接続された回路と、前記電子銃が放出する電子ビームについて、前記第１のコイルと対向配置された第２のコイルと第２のダイオードとが直列接続された回路とが並列接続されてなり、前記第１のダイオードと前記第２のダイオードとは導通方向が互いに逆となっている第１の回路と、前記第１の回路に直列接続された回路であって、第３のコイルと第３のダイオードとが直列接続された回路と、前記電子銃が放出する電子ビームについて、前記第３のコイルと対向配置された第４のコイルと第４のダイオードとが直列接続された回路とが並列接続されてなり、前記第３のダイオードと前記第４のダイオードとは導通方向が互いに逆となっている第２の回路とを備え、前記第１の回路と前記第２の回路とには、垂直偏向電流の分流が流されることとなる。
【００２１】
特に、ＹＨミスコンバーゼンスの高次成分への対応を考慮すれば、前記第１のダイオードと導通方向を同じくする複数のダイオードが直列接続された回路が、前記第１のダイオードに並列接続されており、前記第２のダイオードと同一方向を同じくする複数のダイオードであって、前記第１のダイオードに並列接続された複数のダイオードと同数のダイオードが直列接続された回路が、前記第２のダイオードに並列接続されていることとするのが好適である。
【００２３】
本発明は、以上のような技術思想に基づいて、ＹＨミスコンバーゼンスの悪化が著しい場合でも、低コストで精度良くこれを補正することができる。
【００２４】
【発明の実施の形態】
本発明の実施の形態について図面を参照しながら説明する。
（カラー受像管装置の構成）
図１は、本実施の形態に係るカラー受像管装置について、管軸を含む垂直面で切った断面を示した断面斜視図である。図１においてカラー受像管装置１はガラスバルブのファンネル部４の電子銃２側において偏向ヨーク３により外囲されている。電子銃２から放出された電子ビームは偏向ヨーク３にて偏向され、ガラスバルブのパネル部前面にあるスクリーン面６の内側に塗布された蛍光体層５に照射して、蛍光体層５を発光させることによって、スクリーン面６上に映像を現出させる。
【００２５】
なお、カラー受像管装置１は画面サイズが７６ｃｍ（３２インチ）であって、総偏向角（対角方向の最大偏向角度）が１２０°の平面パネル型カラー受像管装置である。また、カラー受像管装置１のアスペクト比は１６：９である。電子銃２は、Ｒ、Ｇ、Ｂの各色に対応する３つの電子ビームを放出する３つのカソードをインライン配列した、いわゆるインライン型の電子銃である。
【００２６】
図２は、カラー受像管装置１を構成する偏向ヨーク３について、管軸を含む垂直面で切った断面を示した断面斜視図である。偏向ヨーク３は垂直偏向磁界を発生させる一対の垂直偏向コイル３６と、水平偏向磁界を発生させる一対の水平偏向コイル３３とを備えている。これら偏向コイル３３、３６はそれぞれ支持枠３５にて支持されている。
【００２７】
偏向ヨーク３はフェライトコア３２によって、偏向コイル３３、３６が発生させる偏向磁界の磁気効率を向上させている。また、支持枠３５前面の上下端には上下マグネット３４が固定されており、ラスタ歪を補正する。更に、偏向ヨーク３の電子銃２側端には、次に説明するような上下一対の補正コイル３１が配置されている。
【００２８】
（補正コイルの構成）
図３は、電子ビームを挟んで対向する一対の補正コイル３１の一方のみを示した図である。補正コイル３１は、主として垂直方向のコマ収差を補正するコマ収差補正コイル（以下、「コマ補正コイル」という。）４０を備え、更に、ＹＨミスコンバーゼンスを補正するために４極磁界を発生させる４極コイル４１とを備えている。
【００２９】
コマ補正コイル４０と４極コイル４１はそれぞれＵ字形コア４２に巻回されている。コマ補正コイル４０と４極コイル４１は、４極コイル４０の巻き数７に対してコマ補正コイル４１の巻き数が１０となるような巻き数比となっている。以下、スクリーン面６側から見て、電子ビームよりも垂直方向上側（Ｎ側）を単に「上側」といい、電子ビームよりも垂直方向下側（Ｓ側）を単に「下側」と呼ぶことにする。
【００３０】
図４は垂直偏向コイル３６が上側に電子ビームを偏向させている際にコマ補正コイル４０が発生させる磁界を示した図であって、スクリーン側からコマ補正コイル４０を見た場合について示している。図４に示すように上側偏向時はＵ字形コア４２の水平方向右側（Ｅ側）端５０がいずれもＮ極、また、水平方向左側（Ｗ側）端５１がいずれもＳ極となり、水平方向右側から左側に向かう磁界を発生させてコマ収差を補正する。
【００３１】
すなわち、上側偏向時にはＲ、Ｇ、Ｂ、３つの電子ビームのうち中央に位置するＧの電子ビームの偏向量をより大きく、両側の電子ビームＲ、Ｂの偏向量をより小さくする。下側偏向時も、同様に、Ｇの電子ビームの偏向量をより大きく、両側の電子ビームＲ、Ｂの偏向量をより小さくし、これによって垂直方向のコマ収差、すなわち電子ビームＧに対して電子ビームＲ、Ｂが垂直方向により大きく偏向される収差を補正する。
【００３２】
（ＹＨ補正回路の構成）
図５は、本実施の形態に係るＹＨ補正回路の構成を示した回路図である。図５において、ＹＨ補正回路６０は、ダイオード６６、７０、下側４極コイル６７、上側４極コイル６９を備えており、これらの素子はダイオード６６、下側４極コイル６７、上側４極コイル６９、ダイオード７０の順に直列に接続されて、直列回路を構成している。
【００３３】
ＹＨ補正回路６０は、上側コマ補正コイル６２と下側コマ補正コイル６４を備えており、これらの素子は直列に接続されて、もう１つの直列回路を構成している。これらの直列回路は、並列に接続されて全体として並列回路とされており、更に、接続点６３と接続点６８とがブリッジ接続されることによって、ＹＨ補正回路６０とされている。
【００３４】
見方を変えると、ダイオード６６と下側４極コイル６７を直列に接続した回路に上側コマ補正コイル６２を並列に接続した回路を備えると共に、上側４極コイル６９とダイオード７０を直列に接続した回路に下側コマ補正コイル６４を並列に接続した回路を備え、更にこれらの並列回路を直列に接続した構成となっている。
【００３５】
なお、接続点６３は上側コマ補正コイル６２と下側コマ補正コイル６４の中間に位置し、接続点６８は下側４極コイル６７と上側４極コイル６９の中間に位置する。また、ダイオード６６、７０はいずれもショットキー・ダイオードであって、ダイオード６６は上側偏向時に導通し、またダイオード７０は下側偏向時に導通する。
【００３６】
なお、前述のように、ＹＨミスコンバーゼンスは画面サイズや総偏向角、或いはアスペクト比等、カラー受像管装置の仕様によってその程度が異なってくる。従って、４極コイルとコマ補正コイルとの巻き数比は前述の７：１０に限られることなく、補正すべきＹＨミスコンバーゼンスの程度に合わせて適当な比率を選ぶのが望ましい。
【００３７】
このような回路構成を有するＹＨ補正回路６０は、端子６１又は端子６５から垂直偏向電流の分流を流されることによって、コマ補正コイル６２、６４および４極コイル６７、６９にＹＨ補正磁界を発生させる。また、これと並行して、コマ補正コイル６２、６４にはコマ収差補正磁界をも発生させる。
本実施の形態においては、上側偏向時には端子６１から端子６５へ向かう電流が流され、逆に、下側偏向時には端子６５から端子６１へ向かう電流が流される。
【００３８】
（ＹＨ補正回路の動作）
次に、ＹＨ補正回路６０の動作について説明する。ＹＨ補正回路に流される電流は、垂直偏向角が０度のときに垂直偏向電流の大きさがゼロとなり、また垂直偏向角が０度から離れるにつれて垂直偏向電流が大きくなるのに同期して、垂直偏向角が０度のときにゼロとなり、垂直偏向角が０度から離れるにつれて大きくなる。
【００３９】
電子ビームがスクリーン上側を走査する場合、ダイオード６６、７０の整流作用によって下側４極コイル６７には電流が流れるが、上側４極コイル６９には電流は流れない。その結果、図６に示すような４極磁界が発生する。図６は上側偏向時に４極コイル６７、６９が発生させる４極磁界を示した図である。４極磁界により電子ビームＲ、Ｂはそれぞれ水平方向に間隔が広がるような作用を受けて、ＹＨミスコンバーゼンスが補正される。
【００４０】
また、この４極磁界によって電子ビームＧは水平方向の作用は受けないが、垂直方向上向きの作用を若干受ける。４極コイル６７、６９は当該作用により上側偏向時にコマ収差の補正を助ける効果を奏する。
電子ビームがスクリーン下側を走査する場合には、図７に示すような４極磁界が発生し、やはり電子ビームＲ、Ｂの間隔を水平方向に広げる作用によりＹＨミスコンバーゼンスを補正する。４極コイル６７、６９は垂直偏向角が０度から離れるほど大きい電流を流され、より大きなＹＨミスコンバーゼンスを補正する。また、垂直偏向角が０度の場合は垂直偏向電流が流れないので、ＹＨ補正磁界も発生しない。
【００４１】
なお、下側偏向時においても、電子ビームＧは水平方向の作用を受けないと同時に、垂直方向については下向きの作用を若干受ける。したがって、４極コイル６７、６９は下側偏向時においてもコマ収差の補正を助ける効果を奏することができる。
次に、コマ補正コイル６２、６４の動作について説明する。ＹＨ補正回路に流される垂直偏向電流の電流量が小さい場合、コマ補正コイル６２、６４に流される電流の電流量はほぼ等しく、図４に示したようなコマ補正磁界が発生される。そして垂直偏向電流の電流量が所定値を超えるとダイオード６６またはダイオード７０がスイッチング動作して、４極コイル６７または４極コイル６９に垂直偏向電流が分流される。
【００４２】
例えば、上側偏向の場合、垂直偏向電流が所定値を超えると上側コマコイル６２に流入していた垂直偏向電流の一部がダイオード６６を経由して下側４極コイル６７に流入する。このとき、ダイオード７０は逆極性となるため整流作用を奏して上側４極コイル６９には電流は流れず、したがって垂直偏向電流はすべて下側コマ補正コイル６４に流入した後、端子６５から出てゆく。
【００４３】
したがって、上側コマ補正コイル６２に流れる電流よりも下側コマ補正コイル６４に流れる電流のほうが大きくなるので、これらコマ補正コイル６２、６４が発生させる磁界に不均衡が生じ、これによってもＹＨミスコンバーゼンスが補正される。図８は当該不均衡が発生した場合にコマ補正コイル６２、６４が発生させる磁界を示した図（上側偏向の場合）である。
【００４４】
当該磁界は電子ビームＲ、Ｂの位置でそれぞれ上下方向に成分をもち、当該成分によりそれぞれ水平方向に間隔が広がるような作用を受けて、ＹＨミスコンバーゼンスが補正される。また電子ビームＧの位置においては、前記磁界は上下方向の成分をもたず、水平方向の成分を有するのみなので、電子ビームＧは上向きの作用を受けてコマ収差が補正される。
【００４５】
また、図９は下側偏向の場合についてコマ補正コイル６２、６４が発生させる磁界を示した図である。下側偏向時には上側偏向時と電流の向きが逆となり、かつ下側コマ補正コイル６４に流れる電流量が小さくなるので、図のような磁界が生成されてＹＨミスコンバーゼンスが補正される。また、同時に、コマ収差も補正される。
【００４６】
ＹＨ補正回路６０は、上述のような４極コイル６７、６９が発生させる磁界とコマ補正コイル６２、６４が発生させる磁界を重畳した磁界の作用によりＹＨミスコンバーゼンスを補正する。図１０はこれらの磁界それぞれの作用によるＹＨミスコンバーゼンスの補正量と画面の垂直方向位置の関係を示したグラフである。図１０において、実線７０はＹＨミスコンバーゼンスを補正するのに必要な補正量であり、いわばＹＨ補正の目標値である。
【００４７】
また、一点鎖線７２はコマ補正コイル６２、６４によるＹＨ補正量であり、破線７１は４極コイル６７、６９によるＹＨ補正量である。従って、これらＹＨ補正量の合計値が、本実施の形態に係る補正コイル３１によるＹＨ補正量となる。なお、図１０においては、いずれの補正量もミリメートル単位で表示されており、電子ビームＲ、Ｂの水平方向の距離を垂直方向位置毎に測定して、ミスコンバーゼンス量を評価したものである。また、垂直方向位置１００％とは、電子ビームをスクリーン上側にもっとも大きく偏向した場合の走査位置であり、垂直方向位置−１００％とは、電子ビームをスクリーン下側にもっとも大きく偏向した場合の走査位置である。
【００４８】
ＹＨミスコンバーゼンスの特性により、ＹＨ補正の目標値は垂直方向位置０％について対称なパラボラ状の曲線７０を描く。これに対して、上に説明したように４極コイル６７、６９においては垂直偏向電流が大きくなるにつれてＹＨ補正量が大きくなる。また、コマ補正コイル６２、６４においては垂直偏向電流量が所定値よりも大きくなると一方のコマ補正コイルに流れる電流量が飽和するので、その後は垂直偏向電流量が大きくなるにつれて２つのコマ補正コイルに流れる電流量の差が拡大してＹＨ補正量が大きくなる。
【００４９】
従って、垂直偏向電流量が前記の所定値を超える前後で垂直偏向電流量の増加に伴うＹＨ補正量の増加の仕方が大きく変化し、結果として４極コイル６７、６９によるＹＨ補正量とコマ補正コイル６２、６４によるＹＨ補正量の総和がＹＨ補正量の目標値に沿うような曲線となるので、ＹＨミスコンバーゼンスが精度良く補正され、ＹＨうねりが軽減される。
【００５０】
ここで、本発明と従来技術との差異について評価してみる。前述の特開平４―２９８９４２号公報のコンバーゼンス補正装置においてＹＨ補正量を増加させる為には、ダイオードのスイッチング制御を行うと共に抵抗値を大きくしなければならない。しかしながら、この変更はダイオードがスイッチングする際の電流量を拡大させ、結果としてＹＨ補正量のグラフが目標とするパラボラ状の曲線から離れて直線に近づくので、ＹＨうねりの悪化がもたらされる。
【００５１】
これに対して、本実施の形態に係るＹＨ補正回路６０においては、垂直偏向位置が０％から離れるにつれて、コマ補正コイル６２、６４によるＹＨ補正量が加わるので、より目標値に近い補正量を達成でき、ＹＨうねりの発生を回避することができる。
なお、４極コイル６７、６９が発生させる４極磁界はコマ補正作用を有しており、コマ補正コイル６２、６４とともにコマ収差の補正を行う。図１１は、上側偏向時に４極コイル６７、６９が発生させる４極磁界を示した図である。４極コイルが上側偏向時に発生させる４極磁界は、電子ビームＲ、Ｇ、Ｂの垂直偏向角を大きくする作用を有しており、特に、両サイドの電子ビームＲ、Ｂよりも中央の電子ビームＧに対して大きく作用するので、これによってコマ補正効果を奏することができる。
【００５２】
下側偏向時も同様にして、両サイドの電子ビームＲ、Ｂの垂直偏向角よりも中央の電子ビームＧの垂直偏向角を大きしてコマ補正をおこなう。したがって、コマ補正機能を損なうことなく、ＹＨミスコンバーゼンスの補正にコマ補正コイルを援用することができる。
（本発明の技術的な意義）
上述したように、前記公報に開示の技術によったのでは、ＹＨミスコンバーゼンスの高次成分が増加した場合に、ＹＨミスコンバーゼンスを的確に補正することができず、ＹＨうねりが残留してしまう。また、これに対して、図２０に示したようにダイオードを多段に組み合わせて高次成分に対応しようとすると、抵抗素子による電圧降下が大きくなるために、ＹＨミスコンバーゼンスそのものを解消しうるだけの十分な補正量を得ることが出来ない。
【００５３】
このような問題に対する解決策として、次のような構成が考えられる。図１２は、ＹＨミスコンバーゼンスの高次成分に対応しつつ、十分な補正量を確保することが出来る４極コイルの回路構成を示す回路図である。図１２においては、前述の図２０と同様のＹＨ補正回路８１、８２が直列に接続されたＹＨ補正回路８０が示されている。
【００５４】
ＹＨ補正回路８１、８２は、いずれもＹＨ補正回路１５０と同様の回路構成を備えており、垂直偏向電流の分流を流されると電流量に応じた磁界強度を有する４極磁界を発生させて、ＹＨミスコンバーゼンスを補正する。また、図１２から明らかなように、ＹＨ補正回路８１、８２は、常に、互いに同一極性の４極磁界を発生させる。
【００５５】
ここで、図１２は、請求項７〜９の実装例となっており、第１の回路８１と第２の回路８２とが直列接続された構成となっている。請求項７に即して述べれば、第１の回路８１と第２の回路８２は、いずれも電子銃が放出する電子ビームについて対向配置された一対のコイル８１０、８１５、８２０、８２５を備えている。これらのコイルは、垂直偏向電流の分流を流されて、互いに同一極性の４極磁界を発生させる。
【００５６】
また、請求項８に即して述べれば、第１の回路８１においては、第１のコイル８１０と第１のダイオード８１２とが直列接続された回路と、第２のコイル８１５と第２のダイオード８１７が直列接続された回路が並列接続されている。ここで、前記第１のダイオード８１２と前記第２のダイオード８１７は、導通方向が互いに逆になっている。
【００５７】
また、第２の回路８２においては、第３のコイル８２０と第３のダイオード８２２とが直列接続された回路と、第４のコイル８２５と第４のダイオード８２７が直列接続された回路が並列接続されている。ここで、前記第３のダイオード８２２と前記第４のダイオード８２７は、導通方向が互いに逆になっている。そして、第１の回路８１にも第２の回路８２にも垂直偏向電流の分流が流されるのは、上に述べた通りである。
【００５８】
更に、請求項９に即して述べれば、前記第１のダイオード８１２と導通方向を同じくする複数のダイオードが直列接続された回路８１４が、前記第１のダイオード８１２に並列接続されている。また、前記第２のダイオード８１５と導通方向を同じくする複数のダイオードが直列接続された回路８１９が、前記第２のダイオード８１５に並列接続されている。
【００５９】
なお、図１２においては、ＹＨ補正回路８０は、２つのＹＨ補正回路８１、８２からなっているが、３つ以上のＹＨ補正回路からなっているとしても良い。また、図１２においては、ＹＨ補正回路８１、８２は互いに同一構成としているが、ＹＨ補正回路８１、８２の間で、回路を構成するダイオードの数が異なっているとしても良い。前記請求項は、このような変形例も含むと解釈されなければならない。
【００６０】
このような回路構成によれば、ＹＨミスコンバーゼンスの高次成分に対応できるのみならず、複数のＹＨ補正回路を組み合わせることによって十分な補正量を確保することが出来る。一方、図１２から直ちに分かるように、斯かるＹＨ補正回路は、回路構成が複雑に過ぎ、かつ、部品点数が過多であるため実用に耐えない。
【００６１】
これに対して、回路構成の複雑化や部品点数の増加を招くことなくＹＨ補正回路を実現することができれば、当該ＹＨ補正回路と既存のＹＨ補正回路とを組み合わせて理想的なＹＨ補正回路を実現することができる。
図１３は、回路構成の複雑化や部品点数の増加を招くことなくＹＨミスコンバーゼンスを補正するために改良されたコマ収差補正回路である。図１３に示すように、コマ収差補正回路９０は、ダイオード９１、抵抗素子９２、９３、ダイオード９４の順に接続した直列回路と、コマ補正コイル９５、９６を接続した直列回路とが並列に接続されてなる回路である。また、コマ収差補正回路９０においては、接続点６３と接続点６８とがブリッジ接続されている。
【００６２】
ここで、図１３は、請求項１０の実装例となっている。請求項１０に即して述べると、コマ収差補正回路９０は、上側コマ収差補正コイル９５と下側コマ収差補正コイル９６とを備えており、上側コマ収差補正コイル９５と下側コマ収差補正コイル９６とは電子ビームについて互いに対向配置されている。
ダイオード９１は第１のスイッチング素子として機能し、画面上側の走査時に導通するように配置されている。また、ダイオード９４は第２のスイッチング素子として機能し、画面下側の走査時に導通するように配置されている。
【００６３】
コマ収差補正回路９０は、前記第１のスイッチング素子としてのダイオード９１と前記上側コマ収差補正コイル９５を並列に接続した第１の回路と、前記第２のスイッチング素子としてのダイオード９４と前記下側コマ収差補正コイル９６を並列に接続した第２の回路とが、直列に接続されてなり、垂直偏向電流の分流が流される。
【００６４】
このような、コマ収差補正回路９０を適用すれば、垂直偏向角が大きいときほど、２つのコマ補正コイル９５、９６に流れる電流量の差が大きくなるために４極磁界成分が生じるので、ＹＨミスコンバーゼンスが補正される。そして、図１３から直ちに分かるように、コマ収差補正回路９０によれば、回路構成の複雑化を避けて部品点数の増加を抑えつつ、ＹＨミスコンバーゼンスを補正することができる。
【００６５】
そして、図５と図１３とを見比べてみれば明らかなように、本発明に係るＹＨ補正回路は、図１３のコマ収差補正回路９０に対して、４極コイルを直列接続した場合と比較して、更に、少ない部品点数でＹＨミスコンバーゼンスを補正することが出来る。従って、本発明によれば、ＹＨミスコンバーゼンスの高次成分の増加してもこれを精度良く補正できると同時に、十分な補正量を確保することができるのである。
【００６６】
以上に述べたことをまとめると、本発明は、先ず、（１）２つのＹＨ補正回路を組み合わせることによって、ＹＨミスコンバーゼンスの高次成分に対応すると同時に、十分な補正量を確保する技術と、（２）コマ収差補正回路９０を用いてＹＨミスコンバーゼンスを補正する技術とを基礎とするものである。そして、これらの技術を組み合わせることによって得られたＹＨ補正回路６０は、更に、部品点数を減少させてコストを抑えるという効果を有している。
【００６７】
（変形例）
以上、本発明を実施の形態に基づいて説明してきたが、本発明は、上述の実施の形態に限定されないのは勿論であり、以下のような変形例を実施することができる。
（１）  上記の実施の形態においてはコマ補正コイルや４極コイルはＵ字形コアに巻回されるとしたが、これに代えて、Ｅ字形コアに巻回されるとしてもよい。
【００６８】
図１４はＥ字形コアを用いた補正コイルの構成について、スクリーン側から見た様子を示した図である。また、図１４においては、４極コイルは図示を省略して、もっぱらコマ補正コイルの作用が示されている。Ｅ字形コア１００は水平方向右側（Ｅ側）のＥ字形コア１０１と左側（Ｗ側）のＥ字形コア１０２とからなっている。
【００６９】
右側コア１０１は垂直方向上側（Ｎ側）から順に上脚部１０１１、中脚部１０１２、および、下脚部１０１３を備え、また、左側コア１０２も同様に上脚部１０２１、中脚部１０２２、および、下脚部１０２３を備えている。上脚部１０１１、１０２１には、それぞれコマ補正コイル１１１、１１２が巻回されている。また、下脚部１０１３、１０２３には、それぞれコマ補正コイル１１３、１１４が巻回されている。
【００７０】
これらコマ補正コイル１１１〜１１４に垂直偏向電流の分流が流されることによってコマ補正磁界が発生する。図１４は、上側偏向時に発生されるコマ補正磁界を示しており、脚部１０１１、１０１３、１０２２はそれぞれＮ極となり、脚部１０１２、１０２１、１０２３はそれぞれＳ極となって、図中の実線矢印に示されるような磁界が発生される。
【００７１】
このとき、各電子ビームＲ、Ｂは当該磁界の垂直成分により図中の白抜き矢印のような作用を受け、このような作用によってＹＨミスコンバーゼンスが補正される。
また、図１５は、特に４極コイルに注目してＥ字形コア１００の構成を示した図であって、これも図１４と同様にスクリーン側から見た外観を示している。上脚部１０１１、１０２１にはそれぞれ４極コイル１２１、１２２が巻回され、また、下脚部１０１３、１０２３にはそれぞれ４極コイル１２３、１２４が巻回されている。
【００７２】
上側偏向時には、４極コイル１２３、１２４にのみ垂直偏向電流の分流が流されて、下脚部１０１３、１０２３がそれぞれＮ極、Ｓ極となり、中脚部１０１２、１０２２がそれぞれＳ極、Ｎ極となるように、図中の実線矢印にて示したような磁界が発生される。そして当該磁界の垂直成分の作用により、各電子ビームＲ、Ｂは当該磁界の図中の白抜き矢印のような作用を受けて、ＹＨミスコンバーゼンスが補正される。
【００７３】
なお、上記のように、コマ補正コイルと４極コイルとがＥ字形コアの同一脚部に巻回される場合、同一位置にこれらのコイルを重ねて巻回しても良いし、巻回する位置をずらして重ならないようにしても良い。
図１６は、上記のようにＥ字形コア１００に巻回されたコマ補正コイルと４極コイルからなるＹＨ補正回路の回路構成を示した図である。図１６に示したＹＨ補正回路１３０の回路構成は、上記ＹＨ補正回路６０とほぼ同様であり、コマ補正コイル１１１〜１１４を直列接続した回路と、４極コイル１２１〜１２４をダイオード１３３と１３４で挟んだ直列回路とが並列接続されている。
【００７４】
ＹＨ補正回路１３０は、更に、接続点１３５と１３６がブリッジ接続されている。このような回路構成をもつＹＨ補正回路１３０は端子１３１、１３２を備え、当該端子に対して垂直偏向電流の分流が流される。
以上のように、Ｅ字形コアを用いても本発明の効果を得ることができる。また、一対のＥ字形コアを電子ビームの上下（Ｎ側とＳ側）に配置する構成や、一対のＵ字形コアを電子ビームの左右（Ｅ側とＷ側）に配置する構成も理論上は可能である。但し、このような構成はエネルギー効率が悪く、コストの面でも現実的ではない。
【００７５】
この意味で、上記の実施の形態にて説明したＵ字形コアを採用するのが最も好ましい。そして、コイル数が多い分、コストの面で若干不利となるが、前記Ｕ字形コアに次いで、Ｅ字形コアを電子ビームの左右に配置する構成が好適であると言える。
（２）  上記の実施の形態においては、鉛直方向を垂直方向とし、この垂直方向に直交する方向を水平方向としたが、これに代えて、鉛直方向を水平方向と呼び、この水平方向に直交する方向を垂直方向と呼ぶとしても、本発明の効果を得ることができる。
【００７６】
言い換えれば、３つの電子ビームをインライン配列した方向を水平方向と呼び、この水平方向に直交する方向を垂直方向と呼ぶとしても良く、また、これに合わせて、上側と下側についても、垂直方向のいずれか一方を上側、他方を下側と呼ぶとすれば差し支えない。特許請求の範囲についてもそのように解釈されるべきである。
【００７７】
（３）  上記の実施の形態においては、コマ補正コイルや４極コイルには垂直偏向電流の分流が流されるとしたが、垂直偏向電流の大きさに同期した変動する電流であれば必ずしも分流である必要はない。
また、上記の実施の形態においては、スイッチング素子としてダイオードを用いる場合について説明したが、ダイオード以外のスイッチング素子を用いるとしても良い。
【００７８】
（４）  上記実施の形態においては、画面サイズが７６ｃｍ（３２インチ）、総偏向角（対角方向の最大偏向角度）が１２０°であって、アスペクト比は１６：９の平面パネル型カラー受像管装置を例にとって説明したが、本発明がこれに限定されないのは言うまでもないことであり、異なる寸法のカラー受像管装置であっても効果を奏することができる。
【００７９】
【発明の効果】
以上説明したように、本発明によれば、ＹＨミスコンバーゼンスの程度が甚だしいか否かを問わず、ＹＨうねりの発生を抑えて、ＹＨミスコンバーゼンスを補正、解消することができる。
しかも、ＹＨミスコンバーゼンスの補正にあたって、カラー受像管装置の必須構成要素であるコマ補正コイルを援用するので、特殊な部品を追加する必要がなく、むしろ従来技術よりも少ない部品点数、より単純な回路構成でＹＨミスコンバーゼンスを精度良く補正することができる。
【図面の簡単な説明】
【図１】本発明の実施の形態に係るカラー受像管装置を、管軸を含む垂直面で切った断面を示した断面斜視図である。
【図２】本実施の形態に係るカラー受像管装置の偏向ヨークを、管軸を含む垂直面で切った断面を示した断面斜視図である。
【図３】電子ビームを挟んで対向する一対の補正コイルのうち、一方の補正コイルのみを示した構成図である。
【図４】上側偏向時にコマ補正コイルが発生させる磁界を示した図である。
【図５】コマ補正コイル、４極コイル、およびダイオードからなるＹＨ補正回路の構成を示した回路図である。
【図６】上側偏向時に４極コイルが発生させる４極磁界を示した図である。
【図７】下側偏向時に４極コイルが発生させる４極磁界を示した図である。
【図８】上側偏向時、特に垂直偏向電流が所定値よりも大きい場合に、コマ補正コイルが発生させる磁界を示した図である。
【図９】下側偏向時、特に垂直偏向電流が所定値よりも大きい場合に、コマ補正コイルが発生させる磁界を示した図である。
【図１０】コマ補正コイルと４極コイルとのそれぞれによるＹＨ補正量と、ＹＨ補正量の目標値とについて画面の垂直方向位置との関係を示したグラフである。
【図１１】上側偏向時に４極コイルが発生させる４極磁界がもつコマ補正効果を示した図である。
【図１２】ＹＨミスコンバーゼンスの高次成分に対応しつつ、十分な補正量を確保することが出来る４極コイルの回路構成を示す回路図である。
【図１３】回路構成の複雑化や部品点数の増加を招くことなくＹＨミスコンバーゼンスを補正するために改良されたコマ収差補正回路である。
【図１４】Ｅ字形コアを用いた補正コイルの構成について、スクリーン側から見た様子を示した図である。
【図１５】４極コイルに注目してＥ字形コアの構成を示した図であって、スクリーン側から見た外観を示している。
【図１６】Ｅ字形コアに巻回されたコマ補正コイルと４極コイルからなるＹＨ補正回路の回路構成を示した図である。
【図１７】ＹＨミスコンバーゼンスを模式的に示した図である。
【図１８】従来技術に係るＹＨ補正回路の構成を示した回路図である。
【図１９】従来技術に係るＹＨ補正回路にてＹＨミスコンバーゼンスを補正した後に残留するミスコンバーゼンス（ＹＨうねり）を模式的に示した図である。
【図２０】特開平４−２９８９４２号公報に開示のコンバーゼンス補正装置に係るＹＨ補正回路の構成を示した回路図である。
【符号の説明】
１…カラー受像管装置
２…電子銃
３…偏向ヨーク
４…ファンネル部
５…蛍光体層
６…スクリーン面
３１…補正コイル
３２…フェライトコア
３３…水平偏向コイル
３４…上下マグネット
３５…支持枠
３６…垂直偏向コイル
４０…コマ収差補正コイル
４１…４極コイル
４２…Ｕ字型コア
６０、８０、１１０、１２０、１３０…ＹＨミスコンバーゼンス補正回路
６１、６５、１１１、１１２…端子
６２、９１、９２…上側コマ収差補正コイル
６３、６８、１１５、１１６…接続点
６４、９３、９４…下側コマ収差補正コイル
６６、７０、１１３、１１４…ショットキー・ダイオード
６７、１０３、１０４…下側４極コイル
６９、１０１、１０２…上側４極コイル
７０…ＹＨミスコンバーセンス量
７１…４極コイルによるＹＨミスコンバーゼンス補正量
７２…コマ収差補正コイルによるＹＨミスコンバーゼンス補正量
【図１】
0003927101.tif 000002
【図２】
0003927101.tif 000003
【図３】
0003927101.tif 000004
【図４】
0003927101.tif 000005
【図５】
0003927101.tif 000006
【図６】
0003927101.tif 000007
【図７】
0003927101.tif 000008
【図８】
0003927101.tif 000009
【図９】
0003927101.tif 000010
【図１０】
0003927101.tif 000011
【図１１】
0003927101.tif 000012
【図１２】
0003927101.tif 000013
【図１３】
0003927101.tif 000014
【図１４】
0003927101.tif 000015
【図１５】
0003927101.tif 000016
【図１６】
0003927101.tif 000017
【図１７】
0003927101.tif 000018
【図１８】
0003927101.tif 000019
【図１９】
0003927101.tif 000020
【図２０】
0003927101.tif 000021